(57)【要約】【課題】  屈曲自在に接続された少なくとも二枚のパネルの接続状態を安定させ、且つこれらのパネルの起立状態を安定させる調理用油除けパネルに用いる固定具及びこの固定具が用いられた調理用油除けパネル構造体を提供する。【解決手段】  大型ガスコンロの周囲に設置される調理用油除けパネル構造体１は、調理用油除けパネル１０と、シート体２１ａ及び２１ｂとからなる。シート体２１ａは、屈曲自在に接続された第２パネル１２及び第３パネル１３に、シート体２１ｂは、中央付近で折り曲げた状態で屈曲状態に接続された第１パネル１１及び第２パネル１２に、それぞれのパネルに掛け渡されるように取り付けられる。これにより、第２パネル１２及び第３パネル１３の第１パネル１１の側への折れ曲がり及び倒れこみと、第１パネル１１及び第２パネル１２の不用意な開きが防止され、調理用油除けパネル１０の起立状態が安定する。【選択図】  図３
2011158199.tif 000002
【特許請求の範囲】
【請求項１】
少なくとも第１パネルと第２パネルとが屈曲自在に接続された調理用油除けパネルに取付けられる固定具であって、
前記第１パネルと前記第２パネルとに掛け渡すことができる長さを有するシート体と、
前記シート体を、前記第１パネルと前記第２パネルとに掛け渡した状態に固定することができる固定手段とを備えた、固定具。
【請求項２】
前記固定手段は、前記シート体の一方面に塗布された粘着剤を含む、請求項１記載の固定具。
【請求項３】
前記第１パネル及び前記第２パネルの各々には、開口が形成され、
前記固定手段は、前記シート体の両端部に接続され、前記開口の各々を貫通することができる折り曲げ自在の一対の突出片を含む、請求項１記載の固定具。
【請求項４】
前記シート体は屈曲自在に構成される、請求項１から請求項３のいずれかに記載の固定具。
【請求項５】
調理用油除けパネル構造体であって、
第１パネルと、
前記第１パネルに屈曲状態に接続された第２パネルと、
前記第１パネルと前記第２パネルとに掛け渡すようにして固定された屈曲状態のシート体とを備えた、調理用油除けパネル構造体。
【請求項６】
調理用油除けパネル構造体であって、
第１パネルと、
前記第１パネルの側辺の一方に屈曲状態で接続された第２パネルと、
前記第２パネルの側辺であって前記第１パネル側とは反対側の側辺に屈曲自在に接続され、前記第２パネルの面と略同一面に整列するように展開された第３パネルと、
前記第２パネルと前記第３パネルとに掛け渡した状態に固定されたシート体とを備えた、調理用油除けパネル構造体。
【請求項７】
前記シート体は、前記第２パネルと前記第３パネルとの接続部分の中央部を掛け渡すように固定される、請求項６記載の調理用油除けパネル構造体。
【請求項８】
前記第２パネル及び前記第３パネルの各々は、同一高さの矩形形状を有し、
前記シート体は、前記第２パネルと前記第３パネルとで構成される矩形形状における前記第１パネル側に下がる対角線上において固定される、請求項６記載の調理用油除けパネル構造体。
【発明の詳細な説明】
【技術分野】
【０００１】
この発明は固定具及び調理用油除けパネル構造体に関し、特に少なくとも二枚のパネルが屈曲自在に接続された調理用油除けパネルに用いる固定具及びこの固定具が用いられた調理用油除けパネルからなる調理用油除けパネル構造体に関するものである。
【背景技術】
【０００２】
図８は、特許文献１に示されているように、従来の調理用油除けパネル構造体をガスコンロの周囲に設置した状態を示した斜視図である。
【０００３】
図を参照して、システムキッチンレンジ４０に組み込まれたガスコンロ４２の三方を囲った状態で、調理用油除けパネル構造体６１が設置されている。調理用油除けパネル構造体６１は、アルミ箔製の調理用油除けパネル７０と、コンロ用パネル取付具８０とからなる。調理用油除けパネル７０は、第１パネル７１と、第１パネル７１の側片の一方に屈曲状態で接続されている第２パネル７２と、第２パネル７２の側辺であって第１パネル７１側とは反対側の側辺に屈曲状態で接続された第３パネル７３とからなる。コンロ用パネル取付具８０は、クリップ８１と、磁石８２とからなる。第１パネル７１、第２パネル７２及び第３パネル７３の各々の下端には、コンロ用パネル取付具８０がクリップ８１を介して取付けられ、調理用油除けパネル７０は、コンロ用パネル取付具８０の磁石８２によって、磁性素材よりなるガスコンロ４２の表面に堅固に取り付けられる。
尚、調理用油除けパネル構造体６１の設置場所が大理石やステンレス等の非磁性素材よりなる場合においては、コンロ用パネル取付具８０の取付け部分に特許文献２に示されているようなパネル保持部を形成し、パネル保持部の摩擦による係止力によって調理用油除けパネル構造体６１の設置状態を安定させる。
【先行技術文献】
【特許文献】
【０００４】
【特許文献１】特開２００２−２５７３５７号公報
【特許文献２】意匠登録第１３６６７６８号公報
【発明の概要】
【発明が解決しようとする課題】
【０００５】
図９は、従来の調理用油除けパネルのみを大型ガスコンロの周囲に設置した状態を示した斜視図である。
【０００６】
図を参照して、システムキッチンレンジ４０に組み込まれた大型ガスコンロ４１の周囲に、調理用油除けパネル７０が設置されている。尚、大型ガスコンロ４１の幅に対して第２パネル７２の幅が短いため、調理用油除けパネル７０は大型ガスコンロ４１の三方を囲って設置することはできない。よって、調理用油除けパネル７０は、第１パネル７１と第２パネル７２のみが屈曲状態であって、第３パネル７３が第２パネル７２の面と略同一面に整列するように展開された状態で設置されている。
【０００７】
しかし、このように従来のコンロ用パネル取付具や従来のパネル保持部を有さない状態では、いずれのパネルも大型ガスコンロに固定されておらず、又、パネル同士の接続状態も安定しないので調理用油除けパネル７０の設置状態が不安定である。特に、もともと屈曲状態で接続されていて折れ癖がついている第２パネル７２及び第３パネル７３には屈曲状態に戻る力がかかり、自然な状態ではこれらのパネルの展開状態が安定しない。
【０００８】
尚、調理用油除けパネル７０は広げた状態のサイズが大きいため、通常は折り畳んだ状態で流通している。よって、調理用油除けパネル７０には何らかの折れ癖や折り目がついている場合が多く、これらは調理用油除けパネル７０の安全な設置を妨げたり、調理用油除けパネル７０の見た目を損なったりする原因となっている。
【０００９】
又、従来の調理用油除けパネル構造体６１は、その設置場所が磁性を有するか否かで、従来のコンロ用パネル取付具を有するものか、パネル保持部を有するものかの選択をしなければならず、汎用性に乏しい。
【００１０】
更に、従来のコンロ用パネル取付具やパネル保持部は、各々のパネルの下部を固定するのみであるから、調理用油除けパネル７０の上部が不安定となる。よって、調理用油除けパネル７０は、その一部が展開状態にあるとき、上部から折れ曲がってくる危険性がある。尚、調理用油除けパネル７０の上部の不安定さは調理用油除けパネル７０の高さに比例して大きくなり、例えば調理用油除けパネル７０が図の二点鎖線で示すようなものになった場合には、折れ曲がりの危険性が更に増す。
【００１１】
この発明は、上記のような課題を解決するためになされたもので、屈曲自在に接続された少なくとも二枚のパネルの接続状態を安定させ、且つこれらのパネルの起立状態を安定させる調理用油除けパネルに用いる固定具及びこの固定具が用いられた調理用油除けパネル構造体を提供することを目的とする。
【課題を解決するための手段】
【００１２】
上記の目的を達成するために、請求項１記載の発明は、少なくとも第１パネルと第２パネルとが屈曲自在に接続された調理用油除けパネルに取付けられる固定具であって、第１パネルと第２パネルとに掛け渡すことができる長さを有するシート体と、シート体を、第１パネルと第２パネルとに掛け渡した状態に固定することができる固定手段とを備えたものである。
【００１３】
このように構成すると、シート体が第１パネル及び第２パネルに一体化する。
【００１４】
請求項２記載の発明は、請求項１記載の発明の構成において、固定手段は、シート体の一方面に塗布された粘着剤を含むものである。
【００１５】
このように構成すると、所望の位置にシート体を固定することができる。
【００１６】
請求項３記載の発明は、請求項１記載の発明の構成において、第１パネル及び第２パネルの各々には、開口が形成され、固定手段は、シート体の両端部に接続され、開口の各々を貫通することができる折り曲げ自在の一対の突出片を含むものである。
【００１７】
このように構成すると、突出片の各々は、対応する開口の各々を貫通するように折り曲げられた後、更にシート体側に向かうように折り曲げられる。
【００１８】
請求項４記載の発明は、請求項１から請求項３のいずれかに記載の発明の構成において、シート体は屈曲自在に構成されるものである。
【００１９】
このように構成すると、第１パネルと第２パネルとが折り曲げられた状態にも追随する。
【００２０】
請求項５に記載の発明は、調理用油除けパネル構造体であって、第１パネルと、第１パネルに屈曲状態に接続された第２パネルと、第１パネルと第２パネルとに掛け渡すようにして固定された屈曲状態のシート体とを備えたものである。
【００２１】
このように構成すると、シート体が第１パネル及び第２パネルに一体化する。
【００２２】
請求項６記載の発明は、調理用油除けパネル構造体であって、第１パネルと、第１パネルの側辺の一方に屈曲状態で接続された第２パネルと、第２パネルの側辺であって第１パネル側とは反対側の側辺に屈曲自在に接続され、第２パネルの面と略同一面に整列するように展開された第３パネルと、第２パネルと第３パネルとに掛け渡した状態に固定されたシート体とを備えたものである。
【００２３】
このように構成すると、第２パネルと第３パネルとが屈曲状態になりにくくなる。
【００２４】
請求項７記載の発明は、請求項６記載の発明の構成において、シート体は、第２パネルと第３パネルとの接続部分の中央部を掛け渡すように固定されるものである。
【００２５】
このように構成すると、第３パネルの第１パネル側への倒れこみが防止される。
【００２６】
請求項８記載の発明は、請求項６記載の発明の構成において、第２パネル及び第３パネルの各々は、同一高さの矩形形状を有し、シート体は、第２パネルと第３パネルとで構成される矩形形状における第１パネル側に下がる対角線上において固定されるものである。
【００２７】
このように構成すると、第３パネルの第１パネル側への倒れこみが防止される。
【発明の効果】
【００２８】
以上説明したように、請求項１記載の発明は、シート体が第１パネル及び第２パネルに一体化するので、第１パネルと第２パネルとの接続状態が安定する。
【００２９】
請求項２記載の発明は、請求項１記載の発明の効果に加えて、所望の位置にシート体を固定することができるので、使い勝手が向上する。
【００３０】
請求項３記載の発明は、請求項１記載の発明の効果に加えて、突出片の各々は、対応する開口の各々を貫通するように折り曲げられた後、更にシート体側に向かうように折り曲げられるので、シート体は第１パネル及び第２パネルを突出片の各々で挟んだ状態となり、固定状態が安定する。
【００３１】
請求項４記載の発明は、請求項１から請求項３のいずれかに記載の発明の効果に加えて、第１パネルと第２パネルとが折り曲げられた状態にも追随するので、第１パネルと第２パネルとの接続状態にかかわらず使用できる。
【００３２】
請求項５記載の発明は、シート体が第１パネル及び前記第２パネルに一体化するので、第１パネルと第２パネルとが不用意に開かず、起立状態が安定する。
【００３３】
請求項６記載の発明は、第２パネルと第３パネルとが屈曲状態になりにくくなるので、第２パネルに対する第３パネルの展開状態が安定する。
【００３４】
請求項７記載の発明は、請求項６記載の発明の効果に加えて、第３パネルの第１パネル側への倒れこみが防止されるので、第３パネルの起立状態が安定する。
【００３５】
請求項８記載の発明は、請求項６記載の発明の効果に加えて、第３パネルの第１パネル側への倒れこみが防止されるので、第３パネルの起立状態が安定する。
【図面の簡単な説明】
【００３６】
【図１】この発明の第１の実施の形態による固定具の平面図である。
【図２】図１で示したＩＩ−ＩＩラインの拡大端面図である。
【図３】図１で示した固定具を取付けた調理用油除けパネル構造体を大型ガスコンロの周囲に設置した状態を示した斜視図であって、従来技術の図９に対応する図である。
【図４】図１で示した固定具を他の位置に取付けた調理用油除けパネル構造体を大型ガスコンロの周囲に設置した状態を示した斜視図であって、図３に対応する図である。
【図５】この発明の第２の実施の形態による固定具の平面図である。
【図６】図５で示した固定具を取付けた調理用油除けパネル構造体を大型ガスコンロの周囲に設置した状態を示した斜視図であって、第１の実施の形態の図３に対応する図である。
【図７】図６で示したＶＩＩ−ＶＩＩラインの拡大端面図である。
【図８】特許文献１に示されているように、従来の調理用油除けパネル構造体を小型ガスコンロの周囲に設置した状態を示した斜視図である。
【図９】従来の調理用油除けパネルのみを大型ガスコンロの周囲に設置した状態を示した斜視図である。
【発明を実施するための形態】
【００３７】
図１は、この発明の第１の実施の形態による固定具の平面図であり、図２は、図１で示したＩＩ−ＩＩラインの拡大端面図である。
【００３８】
これらの図を参照して、固定具２０は、鉄板やアルミ板等の屈曲自在の厚さで形成された金属板であって、中央付近に一対のくびれ２２を有する平面視略矩形形状のシート体２１と、シート体２１の一方面に塗布された粘着材２３と、粘着材２３の表面に貼り付けられた剥離紙２４とからなる。
【００３９】
このように構成すると、剥離紙２４を剥がして調理用油よけパネル等の所望の位置にシート体２１を固定することができ、固定具２０の使い勝手が向上する。
【００４０】
又、シート体２１が屈曲自在となっているが、この効果については後述する。
【００４１】
図３は、図１で示した固定具を取付けた調理用油除けパネル構造体を大型ガスコンロの周囲に設置した状態を示した斜視図であって、従来技術の図９に対応する図である。
【００４２】
図を参照して、図９の調理用油除けパネル７０が、図１で示した固定具を取付けた調理用油除けパネル構造体１に置き換わっている。尚、他の部分は図９に示したものと同一であるため、ここでの説明は繰り返さない。
【００４３】
調理用油除けパネル構造体１は、調理用油除けパネル１０と、図１で示した固定具のシート体２１ａ及び２１ｂとからなる。
【００４４】
調理用油除けパネル１０は、展開時に平面視矩形形状となるアルミ箔製のパネルであって、第１パネル１１と、第１パネル１１の側片の一方に屈曲状態で接続されている第２パネル１２と、第２パネル１２の側辺であって第１パネル１１側とは反対側の側辺に屈曲自在に接続された第３パネル１３とからなる。
【００４５】
最初に、シート体２１ａの取付けについて説明する。
【００４６】
シート体２１ａは、剥離紙を剥がして、第２パネル１２と第３パネル１３との接続部分１４ａを跨いで第２パネル１２と第３パネル１３とに掛け渡されるように、図の点線で示した位置に取り付けられる。尚、シート体２１ａの取り付け位置の高さは、接続部分１４ａの上端からの距離及び下端からの距離が、それぞれ接続部分１４ａの全長の１／３以上である範囲、すなわち、接続部分１４ａの中央部において設定される。
【００４７】
このように構成すると、シート体２１ａが第２パネル１２及び第３パネル１３に一体化し、第２パネル１２及び第３パネル１３との接続状態が安定する。
【００４８】
又、第３パネル１３の第２パネル１２の側への折れ曲がりが防止され、第３パネル１３の起立状態が安定する。
【００４９】
更に、第２パネル１２及び第３パネル１３の第１パネル１１の側への倒れこみが防止され、第３パネル１３の起立状態が安定する。
【００５０】
次に、シート体２１ｂの取付けについて説明する。
【００５１】
シート体２１ｂは屈曲自在であるので、まず、シート体２１ｂを上述のくびれの位置において粘着材及び剥離紙の無い側に第１パネル１１と第２パネル１２との開き角度に応じて、例えば９０度に折り曲げる。
【００５２】
このように、シート体２１ｂの形状は自在に変形できるので、第１パネル１１及び第２パネル１２の接続状態に応じて使用できる。
【００５３】
次に、シート体２１ｂの折れ曲がり形状を維持したままで剥離紙を剥がし、第１パネル１１と第２パネル１２の接続部分１４ｂを跨いで、第１パネル１１と第２パネル１２とに掛け渡されるように調理用油除けパネル１０に取り付ける。
【００５４】
このように構成すると、シート体２１ｂが第１パネル１１及び第２パネル１２に一体化し、第１パネル１１と第２パネル１２とが不用意に開かず、第１パネル１１及び第２パネル１２の起立状態が安定する。
【００５５】
尚、シート体２１ｂを第１パネル１１及び第２パネル１２の平坦時に取付けて、接続部分１４ｂにおいて第１パネル１１及び第２パネル１２を折り曲げるのと共に、シート体２１ｂを折り曲げても良い。
【００５６】
以上のように、シート体２１ａ及び２１ｂを取付けると、調理用油除けパネル構造体１の全体形状が維持されるため、設置場所が磁性を有するか否かに関わらず、従来のような取付具を使用しなくても調理用油除けパネル構造体１の起立状態が安定する。
【００５７】
図４は、図１で示した固定具を他の位置に取付けた調理用油除けパネル構造体を大型ガスコンロの周囲に設置した状態を示した斜視図であって、図３に対応する図である。
【００５８】
図を参照して、図３の調理用油除けパネル構造体１とは、シート体２１ａの取付け位置のみが異なっているので、相違点について説明する。
【００５９】
シート体２１ａは、第２パネル１２と第３パネル１３との接続部分１４と、第２パネル１２と第３パネル１３とで構成される矩形形状における第１パネル１４側に下がる対角線（図の１点鎖線）との交差点を中心位置として、この対角線上において第２パネル１２と第３パネル１３とに掛け渡されるように取り付けられている。
【００６０】
このように構成すると、第２パネル１２及び第３パネル１３が図の矢印で示した軌道で第１パネル１１の側に倒れこむのが防止され、第２パネル１２及び第３パネル１３の起立状態が安定する。
【００６１】
図５は、この発明の第２の実施の形態による固定具の平面図である。
【００６２】
図を参照して、固定具２０は、鉄板やアルミ板等の屈曲自在の厚さで形成された金属板であって、中央付近に一対のくびれ２２を有する平面視横長の俵型のシート体２１と、シート体２１の両端に接続された一対の突出片２５及び突出片２６とからなる。尚、突出片２５及び突出片２６はシート体２１との接続部を境にして折り曲げ自在である。
【００６３】
図６は、図５で示した固定具を取付けた調理用油除けパネル構造体を大型ガスコンロの周囲に設置した状態を示した斜視図であって、第１の実施の形態の図３に対応する図であって、図７は、図６で示したＶＩＩ−ＶＩＩラインの拡大端面図である。
【００６４】
これらの図を参照して、図３の調理用油除けパネル構造体１とは、図３のシート体２１ａ及び２１ｂが、図５のシート体２１ａ及び２１ｂに置き換わっている点、及び調理用油除けパネル１０に開口１５ａ及び１５ｂと開口１６ａ及び１６ｂとが形成されている点のみが異なっているので、相違点について説明する。
【００６５】
調理用油除けパネル構造体１は、調理用油除けパネル１０と、第２の実施の形態による固定具のシート体２１ａ及び２１ｂとからなる。
【００６６】
第３パネル１３には開口１５ａが、第２パネル１２には開口１６ａ及び開口１５ｂが、第１パネル１１には開口１６ｂが、それぞれ形成されている。開口１５ａと開口１６ａとの間隔及び開口１５ｂと開口１６ｂとの間隔はいずれも、突出片２５とシート体２１との接続部から突出片２６とシート体２１との接続部までの距離に対応するように設定される。
【００６７】
最初に、シート体２１ａの取付けについて説明する。
【００６８】
シート体２１ａの取り付けにあたっては、まず、突出片２５ａ及び２６ａを、シート体２１ａとの接続部を境にしてそれぞれ９０度に折り曲げて対向させる。次に、その形状を維持したままで突出片２５ａは開口１５ａを、突出片２６ａは開口１６ａをそれぞれ貫通させる。そして、突出片２５ａ及び２６ａの第２パネル１２及び第３パネル１３の外側に突き出ている部分を、シート体２１ａの側に折り返す。
【００６９】
このように構成すると、シート体２１ａは、第２パネル１２及び第３パネル１３を突出片２５ａ及び２６ａの各々で挟んだ状態となり、固定状態が安定する。
【００７０】
次に、シート体２１ｂの取付けについて説明する。
【００７１】
シート体２１ｂの取り付けにあたっては、まず、第１パネル１１の面と第２パネル１２の面とが略同一面に整列するように第１パネル１１又は第２パネル１２を展開する。そしてこの状態において、突出片２５ｂ及び２６ｂと、開口１５ｂ及び１６ｂとを介して、シート体２１ｂをシート体２１ａと同様に第１パネル１１及び第２パネル１２に取り付ける。
【００７２】
このように構成すると、シート体２１ｂは、第１パネル１１及び第２パネル１２を突出片２５ｂ及び２６ｂの各々で挟んだ状態となり、固定状態が安定する。
【００７３】
そして、シート体２１ｂと第１パネル１１及び第２パネル１２とが一体化したままの状態で、第１パネル１１及び第２パネル１２を接続部分１４ｂにおいて折り曲げる。尚、シート体２１ｂは屈曲自在であるから、シート体２１ｂごと折り曲げることは容易である。
【００７４】
このように構成すると、シート体２１ｂは第１パネル１１及び第２パネル１２が折り曲げられた状態にも追随するので、第１パネル１１及び第２パネル１２の開き角度に関わらず使用できる。
【００７５】
このように、シート体２１ｂによって第１パネル１１と第２パネル１２との接続状態が保持されて、第１パネル１１と第２パネル１２とが不用意に開かないため、第１パネル１１及び第２パネル１２の起立状態が安定する。
【００７６】
尚、上記の各実施の形態では、シート体は鉄又はアルミよりなるものであったが、これら以外の素材よりなるものであっても良い。
【００７７】
又、上記の各実施の形態では、シート体は中央付近にくびれを有するものであったが、これに代えて中央付近に罫線を有するものであっても良い。
【００７８】
更に、上記の各実施の形態では、シート体は屈曲自在に構成されていたが、自在に屈曲できないように構成されていても良い。
【００７９】
更に、上記の各実施の形態では、シート体は板状のものであったが、事前に折り曲げられているものでも良い。
【００８０】
更に、上記の各実施の形態では、粘着材又は突出片を固定手段として用いていたが、これら以外の固定手段を用いるものであっても良い。
【００８１】
更に、上記の第２の実施の形態では、シート体はその一方面に粘着剤が塗布されていないものであったが、粘着材が塗布されているものであっても良い。
【００８２】
更に、上記の各実施の形態では、第１パネル及び第２パネルの間と、第２パネル及び第３パネルの間とにある接続部分を調理用油除けパネルの屈曲自在な部分としていたが、この屈曲自在な部分には、調理用油除けパネル構造体の包装時に生じる折り癖箇所も含まれる。
【００８３】
更に、上記の各実施の形態では、シート体が掛け渡される平面状のパネルを第２パネル及び第３パネルとしていたが、第２パネル及び第３パネルのみからなる調理用油除けパネル、つまり第２パネルを第１パネルと、第３パネルを第２パネルと呼ぶべき平面状の調理用油除けパネルにおいても、同様に適用できる。
【００８４】
更に、上記の各実施の形態では、第２パネル及び第３パネルは矩形形状を形成するものであったが、それ以外の形状を形成するものであっても良い。
【００８５】
更に、上記の第２の実施の形態では、突出片の取付けのために調理用油除けパネルに開口が設けられていたが、開口が無く、突出片でパネルを突き破って固定するようにしても良い。
【００８６】
更に、上記の図３及び図６の実施の形態では、シート体の取り付け位置は、接続部分の上端からの距離及び下端からの距離が、それぞれ接続部分の中央部において設定されていたが、接続部分の中央点に設定されていればなお良い。
【００８７】
更に、上記の図４の実施の形態では、シート体の位置は、接続部分と、第２パネルと第３パネルとで構成される矩形形状における第１パネル側に下がる対角線との交差点を中心位置としているが、対角線上において第２パネルと第３パネルとに掛け渡される位置にあれば中心位置はずれても良い。
【００８８】
更に、上記の各実施の形態では、シート体は調理用油除けパネルのガスコンロに対面する側に取付けられていたが、反対の面に取付けられても良い。
【００８９】
更に、上記の第２の実施の形態では、突出片の各々は、対向するように９０度折り曲げた後、シート体の側に折り返されて固定具を取付けているが、逆の側に折り曲げて固定具を取付けても良い。
【符号の説明】
【００９０】
１…調理用油除けパネル構造体
１０…調理用油除けパネル
１１…第１パネル
１２…第２パネル
１３…第３パネル
１４…接続部分
１５…開口
１６…開口
２０…固定具
２１…シート体
２３…粘着材
２５…突出片
２６…突出片
尚、各図中同一符号は同一又は相当部分を示す。
【図１】
2011158199.tif 000003
【図２】
2011158199.tif 000004
【図３】
2011158199.tif 000005
【図４】
2011158199.tif 000006
【図５】
2011158199.tif 000007
【図６】
2011158199.tif 000008
【図７】
2011158199.tif 000009
【図８】
2011158199.tif 000010
【図９】
2011158199.tif 000011